(57)【特許請求の範囲】
【請求項１】
投入される硬貨の金額に基く券を発行する券発行機において、
硬貨を収納する収納部と、
この収納部の重量を計測する計測手段と、
上記各部に電源電圧を供給する電源部と、
この電源部による上記各部への電源電圧の供給の遮断を指示する電源スイッチと、
この電源スイッチにより電源電圧の供給の遮断が指示された際に、上記計測手段により計測される重量とあらかじめ計測されている上記収納部の重量とを比較する比較手段と、
この比較手段による比較の結果、重量に差がない際に、硬貨の回収済みを判断する判断手段と、
この判断手段により硬貨の回収済みを判断した際に、電源部による上記各部への電源電圧の供給を遮断する遮断手段と、
を具備したことを特徴とする券発行機。
【発明の詳細な説明】
【０００１】
【発明の属する技術分野】
この発明は、たとえば交通機関で用いられる券、精算券若しくは定期券を購入者の操作により印刷発行する券発行機に関する。
【０００２】
【従来の技術】
券発行機、例えば購入者が直接操作できる継続定期券（例えば鉄道、バス等の交通機関で用いられる）を発行する定期券発行機が実用化されている。この様な定期券発行機では、定期券を発行する場合、購入するのに必要な情報が購入情報として裏面の磁気記録部に磁気記録されている旧定期券（旧券）を投入後、接客表示画面の表示金額にしたがい硬貨若しくは紙幣またはクレジットカードを投入することにより自動的に旧券と同一内容で発行された定期券を得るようになっている。
【０００３】
ここで購入するために投入された硬貨若しくは紙幣は、定期券発行機内に設けられた金庫の金種別収納箱に保管されている。
しかしながら、このような定期券発行機では、機器の電源切（オフ）時において金庫回収のチェック機能がついておらず、金庫に施錠されているのみである。よって、業務終了時の現金の回収は、人間系による確認しか行われていない状態である。昨今の労働時間短縮の風潮から、鉄道の駅（あるいはコーナ）に設置されて駅員の無人化（早朝、深夜）が進んでいるが、定期券発行機の現金の回収を忘れてしまったとき、無人の場合だと盗難の可能性があり、大変危険である。
【０００４】
【発明が解決しようとする課題】
上記したように、定期券等の券発行機では、電源切時において金庫回収のチェック機能がついておらず金庫に施錠されているのみで、昨今の労働時間短縮の風潮から、鉄道の駅（あるいはコーナ）に設置されて駅員の無人化（早朝、深夜）が進んでいるおり定期券発行機の現金の回収を忘れてしまったときに無人の場合だと盗難の可能性があり、大変危険であるという問題があった。
そこで、この発明は、電源切時に金庫回収のチェックを行って金庫の盗難を回避し、安全性の向上を図ることのできる券発行機を提供することを目的とする。
【０００５】
【課題を解決するための手段】
この発明の券発行機は、投入される硬貨の金額に基く券を発行するものにおいて、硬貨を収納する収納部と、この収納部の重量を計測する計測手段と、上記各部に電源電圧を供給する電源部と、この電源部による上記各部への電源電圧の供給の遮断を指示する電源スイッチと、この電源スイッチにより電源電圧の供給の遮断が指示された際に、上記計測手段により計測される重量とあらかじめ計測されている上記収納部の重量とを比較する比較手段と、この比較手段による比較の結果、重量に差がない際に、硬貨の回収済みを判断する判断手段と、この判断手段により硬貨の回収済みを判断した際に、電源部による上記各部への電源電圧の供給を遮断する遮断手段とにより構成されている。
【００１３】
【発明の実施の形態】
以下、この発明の一実施の形態について図面を参照して説明する。
図２は、この発明の券発行機に係る定期券発行機における係員操作面の概略構成を示すものである。
【００１４】
すなわち、定期券発行機１は、係員が操作する操作部１０、定期券を発行する発券メカ部２０、投入される紙幣を処理するビルメカ部３０、投入される硬貨を処理するコインメカ部４０、クレジットカードを処理するカードメカジャーナル５０、硬貨を保管する保管手段としてのコイン金庫６０、及び電源部７０とから構成されている。
【００１５】
図３は、操作部１０の概略構成を示すもので、金庫の回収チェックの有無を切換える金庫回収チェックキー１１、各種情報を表示する集中表示部１２、後述する金庫未回収の際の警告時に鳴動する警報（ブザー）１３、同じく警告時に点灯する警報ランプ１４、テンキーを含む各種操作を行う操作キー１５、異常を表示する異常表示部１６、状態を表示する状態表示部１７、及び電源の入切（オン／オフ）を行う入切手段としての電源スイッチ１８とから構成されている。
【００１６】
図４は、コイン金庫６０内の引き出した状態を示すもので、金種別収納箱６０ａ〜６０ｄが設けられ、底部には金種別収納箱６０ａ〜６０ｄのそれぞれの重量を計測する計測手段としての重量計２ａ、２ｂ、２ｃ、２ｄが設けられている。例えば、収納箱６０ａには１０円硬貨、収納箱６０ｂには５０円硬貨、収納箱６０ｃには１００円硬貨、収納箱６０ｄには５００円硬貨を保管する。
【００１７】
図１は、定期券発行機１における制御系の概略構成を示すものである。
すなわち、全体の制御を司るＣＰＵ３が設けられている。ＣＰＵ３には、電源部７０を制御する制御スイッチ４、操作部１０、発券メカ部２０、ビルメカ部３０、コインメカ部４０、カードメカジャーナル５０、コイン金庫６０及びコイン金庫６０内の金種別収納箱毎の重量を測定する重量測定部である重量計２ａ、２ｂ、２ｃ、２ｄ、及び図示しない監視盤等の外部装置と接続するインターフェース５とが接続されている。
【００１８】
次に、このような構成において電源をオフとした際の金庫回収チェック動作について図５のフローチャートを参照して説明する。
まず、係員による操作の際の処理モードとして、金庫回収チェックキー１１を押下することによって金庫回収チェックの有／無が設定される。金庫回収チェックキー１１が押下されて金庫回収チェック有りの金庫回収チェックモードに設定されているものとする。
【００１９】
業務が終了して操作部１０の電源スイッチ１６がオフにされた際（ＳＴ１）、ＣＰＵ３は、金庫回収チェックモードであることを確認し（ＳＴ２）、コイン金庫６０内の各重量計２ａ〜２ｄによる対応する各収納箱６０ａ〜６０ｄの重量を計測する（ＳＴ３）。収納箱６０ａに１０円硬貨が回収されないで保管されていた場合、計測した重量＞収納箱６０ａの重量となる。収納箱６０ｂに５０円硬貨が回収されないで保管されていた場合、計測した重量＞収納箱６０ｂの重量となる。収納箱６０ｃに１００円硬貨が回収されないで保管されていた場合、計測した重量＞収納箱６０ｃの重量となる。収納箱６０ｄに５００円硬貨が回収されないで保管されていた場合、計測した重量＞収納箱６０ｄの重量となる。ＣＰＵ３は、予め収納箱６０ａ〜６０ｄの各重量を記憶している。
【００２０】
ＣＰＵ３は、重量計２ａ〜２ｄで測定した重量と各収納箱６０ａ〜６ｄの重量とからコイン金庫６０内に現金（硬貨）が残っている（未回収）か否かを判断し（ＳＴ４）、残っていた場合は、警報１３を鳴動し、警報ランプ１４を点灯し、集中表示部１２に「金庫未回収  現金を回収して下さい」と表示する（ＳＴ５）。
【００２１】
ここでのリセットは、コイン金庫６０内の現金を回収するか、金庫回収チェックキー１１を押下して金庫回収チェックを“無”に切換えるかによって行われる（ＳＴ６）。コイン金庫６０の扉を開けて引き出した状態になると警報１３の鳴動のみが解除され、現金回収後に扉を閉めると再度重量が計測される。
【００２２】
ＣＰＵ３は、収納箱６０ａ〜６０ｄの計測重量と予め計測されている各収納箱６０ａ〜６０ｄ計測重量との比較から現金回収済と判断すれば立下げ（終了）処理を行い（ＳＴ７）、制御スイッチ４を制御して電源部７０からの供給電源を電源断とする（ＳＴ８）。
【００２３】
以上説明したように上記発明の実施の形態によれば、現金回収チェックの機能を加えることにより、業務終了時には現金の回収を済ませることができるので、無人の時には金庫が空となっており、盗難の危険から回避され、安全性の向上を図ることができる。
【００２４】
なお、上記発明の実施の形態では定期券発行機について説明したが、本発明はこれに限らず、例えば券売機、精算機のような現金が投入されて券を発行し、投入された現金を保管する金庫を有する機器に応用可能である。
【００２５】
【発明の効果】
以上詳述したようにこの発明によれば、電源切時に金庫回収のチェックを行って金庫の盗難を回避し、安全性の向上を図ることのできる券発行機を提供することができる。
【図面の簡単な説明】
【図１】この発明の券発行機に係る定期券発行機における制御系の概略構成を示すブロック図。
【図２】定期券発行機における係員操作面の概略構成を示す図。
【図３】操作部の概略構成を示す図。
【図４】コイン金庫内の引き出した状態を示す図。
【図５】電源オフ時の金庫回収チェック動作を説明するためのフローチャート。
【符号の説明】
１…定期券発行機
２ａ〜２ｄ…重量計
３…ＣＰＵ
４…制御スイッチ
１０…操作部
１１…金庫回収チェックキー
１２…集中表示部
１３…警報（ブザー）
１４…警報ランプ
１８…電源スイッチ
６０…コイン金庫
６０ａ〜６０ｄ…収納箱
７０…電源部
【図１】
0003657663.tif 000002
【図２】
0003657663.tif 000003
【図３】
0003657663.tif 000004
【図４】
0003657663.tif 000005
【図５】
0003657663.tif 000006